(57)【特許請求の範囲】
【請求項１】
室内機のケースを形成する前ケース及び後ケースを備え、前記ケースには、メイン風吸込部が形成され、前記ケース内に熱交換器が形成されている壁掛け式エアコン室内機であって、
前記前ケースの下部には、混合風出口が形成され、前記後ケースにおいて前記混合風出口に対応する位置に、非熱交換風吸込口が形成され、前記ケース内に送風装置が形成され、前記送風装置は、中央に貫通され、前後開口を有する風ガイド体を少なくとも２つ備え、前記風ガイド体は、前後に順次に配列され、中央には前後に貫通される貫通ダクトが形成され、前記貫通ダクトは、前記混合風出口と前記非熱交換風吸込口を連通し、隣り合う両前記風ガイド体との間には、熱交換風ダクトが形成され、前記熱交換風ダクトは、上部のサイズが下部のサイズより大きく、上が広く下が狭い形態のダクト構造を形成し、前記ケース内、前記送風装置の上方には、うず巻ケーシングと、前記うず巻ケーシング内に位置する遠心ファンが形成され、前記うず巻ケーシングの風吹出部は、前記熱交換風ダクトに向けて、前記うず巻ケーシングの風吹出部には、前記送風装置へ延伸し、前記熱交換風ダクトを囲む囲み部が更に形成され、前記囲み部と前記熱交換風ダクトとの間には、混合風キャビティが形成されている
ことを特徴とする壁掛け式エアコン室内機。
【請求項２】
前記送風装置は、少なく３つの風ガイド体を備え、前記少なく３つの風ガイド体は、前記非熱交換風吸込口から前記混合風出口までの方向における間隔がだんだん大きくなるように、前後に順次に配列されていることを特徴とする請求項１に記載の壁掛け式エアコン室内機。
【請求項３】
前記送風装置は、３つの風ガイド体を備え、前記３つの風ガイド体は、２つの熱交換風ダクトを形成し、前記非熱交換風吸込口に近接する後端の熱交換風ダクトのサイズは、前記混合風出口に近接する前端の熱交換風ダクトのサイズよりも小さいことを特徴とする請求項２に記載の壁掛け式エアコン室内機。 
【請求項４】
前記送風装置のうち、前記混合風出口に近接する前端風ガイド体の前開口と前記混合風出口はいずれも、上部が前へ、下部が後への方向に下方へ傾斜していることを特徴とする請求項１に記載の壁掛け式エアコン室内機。
【請求項５】
前記前端風ガイド体の前開口と前記混合風出口が下方へ傾斜する角度は、４°〜４５°であることを特徴とする請求項４に記載の壁掛け式エアコン室内機。
【請求項６】
前記送風装置の先端から前記うず巻ケーシングの風吹出部までの距離は、前記送風装置の底端から前記囲み部の底端までの距離よりも大きいことを特徴とする請求項１に記載の壁掛け式エアコン室内機。
【請求項７】
前記送風装置の底端は、前記囲み部の底端に隣接又は接触していることを特徴とする請求項６に記載の壁掛け式エアコン室内機。
【請求項８】
前記囲み部は、前記うず巻ケーシングの風吹出部に接続される始端から下方へ前記送風装置に対してだんだん拡大し、前記送風装置の左右両側には、だんだん拡大する内キャビティを有する混合風キャビティが形成されていることを特徴とする請求項１に記載の壁掛け式エアコン室内機。 
【請求項９】
前記うず巻ケーシングの風吹出部は、上部が後へ、下部が前への傾斜方向において前記熱交換風ダクトに向けて、前記囲み部は、上部が後へ、下部が前への傾斜方向において前記熱交換風ダクトを囲んでいることを特徴とする請求項１に記載の壁掛け式エアコン室内機。
【請求項１０】
前記遠心ファンは両吸込式遠心ファンであって、その軸線が前記送風装置の軸線と互いに垂直し、前記うず巻ケーシングには、左右対称な第一風吸込部と第二風吸込部が形成されていることを特徴とする請求項１乃至９のいずれか一項に記載の壁掛け式エアコン室内機。
【請求項１１】
前記メイン風吸込部は、前記ケースの左右両側に形成された第一メイン風吸込部と第二メイン風吸込部を備え、前記熱交換器は、前記第一メイン風吸込部と前記うず巻ケーシングとの間に位置する第一熱交換器と、前記第二メイン風吸込部と前記うず巻ケーシングとの間に位置する第二熱交換器を備え、前記第一メイン風吸込部は、前記第一熱交換器に向けて、前記第二メイン風吸込部は、前記第二熱交換器に向けていることを特徴とする請求項１０に記載の壁掛け式エアコン室内機。
【請求項１２】
前記第一熱交換器と前記第二熱交換器は、いずれも、２つ折り、多層式熱交換器であって、且つ前記うず巻ケーシングから下方へ一部の前記囲み部を被覆するまで延伸していることを特徴とする請求項１１に記載の壁掛け式エアコン室内機。
【請求項１３】
前記遠心ファンの軸心と前記ケースの先端との距離は、前記ケースの総高さの１/４以上であることを特徴とする請求項１０に記載の壁掛け式エアコン室内機。
【請求項１４】
前記遠心ファンは、ロータ外付けの両吸込式遠心ファンであることを特徴とする請求項１０に記載の壁掛け式エアコン室内機。 
【請求項１５】
前記前ケース及び前記後ケースの正投影は、いずれも、円形又は略円形であることを特徴とする請求項１に記載の壁掛け式エアコン室内機。
【発明の詳細な説明】
【技術分野】
【０００１】
本発明は、空気調節の技術分野に属し、具体的に、エアコン室内機に関し、より具体的に、壁掛け式エアコン室内機に関する。
【背景技術】
【０００２】
従来の壁掛け式エアコン室内機はいずれも、長尺状であって、室内機に長尺状の風吹出口が開設され、熱交換器にて熱交換された風が直接に内部の貫流ファンの作用で風吹出口から吹き出され、吹き出された風がすべて熱交換風である。一般的に、熱交換器と風吹出口との間には余分の送風装置を設置していない。このようなエアコン送風の一つの欠点は、吹き出された風がすべて熱交換風であるため、風量が少なく、室内風の循環速度が遅いということである。もう一つの欠点は、送り出された風があまり柔らかくなく、特に冷房モードの場合、吹き出された涼風がユーザの体に直接に吹み、快適ではないということである。 
【０００３】
壁掛け式エアコンは、使用時に部屋の高い位置に掛けされるため、部屋内の空気の流れること及び温度調節を速くさせるように、風の吹出方向が下方へ向かうことが望まれている。
【０００４】
このようなことに鑑みて、本発明は、混合風を吹き出すことができると共に、混合風を下方へ送り出すことのできる壁掛け式エアコン室内機を提供することを目的とする。
【発明の概要】
【発明が解決しようとする課題】
【０００５】
本発明は、風量が大きく、温度が適宜で、柔らかい混合風を送り出すことができるだけでなく、混合風を下へ送り出すことにより、使用時の空間における空気の流動性と温度調節性を向上させることのできる壁掛け式エアコン室内機を提供することを目的とする。
【課題を解決するための手段】
【０００６】
上記目的を実現するため、本発明は、以下の技術的手段により実現することができる。
室内機のケースを形成する前ケース及び後ケースを備え、前記ケースには、メイン風吸込部が形成され、前記ケース内に熱交換器が形成されている壁掛け式エアコン室内機であって、前記前ケースの下部には、混合風出口が形成され、前記後ケースにおいて前記混合風出口に対応する位置に、非熱交換風吸込口が形成され、前記ケース内に送風装置が形成され、前記送風装置は、中央に貫通され、前後開口を有する風ガイド体を少なくとも２つ備え、前記風ガイド体は、前後に順次に配列され、中央には前後に貫通される貫通ダクトが形成され、前記貫通ダクトは、前記混合風出口と前記非熱交換風吸込口を連通し、隣り合う両前記風ガイド体との間には、熱交換風ダクトが形成され、前記熱交換風ダクトは、上部のサイズが下部のサイズより大きく、上が広く下が狭い形態のダクト構造を形成し、前記ケース内、前記送風装置の上方には、うず巻ケーシングと、前記うず巻ケーシング内に位置する遠心ファンが形成され、前記うず巻ケーシングの風吹出部は、前記熱交換風ダクトに向けて、前記うず巻ケーシングの風吹出部には、前記送風装置へ延伸し、前記熱交換風ダクトを囲む囲み部が更に形成され、前記囲み部と前記熱交換風ダクトとの間には、混合風キャビティが形成されている。
【０００７】
上記のような壁掛け式エアコン室内機において、前記送風装置は、少なく３つの風ガイド体を備え、前記少なく３つの風ガイド体は、前記非熱交換風吸込口から前記混合風出口までの方向における間隔がだんだん大きくなるように、前後に順次に配列されている。
【０００８】
好ましくは、前記送風装置は、３つの風ガイド体を備え、前記３つの風ガイド体は、２つの熱交換風ダクトを形成し、前記非熱交換風吸込口に近接する後端の熱交換風ダクトのサイズは、前記混合風出口に近接する前端の熱交換風ダクトのサイズよりも小さい。
【０００９】
上記のような壁掛け式エアコン室内機において、前記送風装置のうち、前記混合風出口に近接する前端風ガイド体の前開口と前記混合風出口はいずれも、上部が前へ、下部が後への方向に下方へ傾斜している。
【００１０】
好ましくは、前記前端風ガイド体の前開口と前記混合風出口が下方へ傾斜する角度は、４°〜４５°である。
上記のような壁掛け式エアコン室内機において、前記送風装置の先端から前記うず巻ケーシングの風吹出部までの距離は、前記送風装置の底端から前記囲み部の底端までの距離よりも大きい。
【００１１】
好ましくは、前前記送風装置の底端は、前記囲み部の底端に隣接又は接触している。
上記のような壁掛け式エアコン室内機において、前記囲み部は、前記うず巻ケーシングの風吹出部に接続される始端から下方へ前記送風装置に対してだんだん拡大し、前記送風装置の左右両側には、だんだん拡大する内キャビティを有する混合風キャビティが形成されている。
【００１２】
上記のような壁掛け式エアコン室内機において、前記うず巻ケーシングの風吹出部は、上部が後へ、下部が前への傾斜方向において前記熱交換風ダクトに向けて、前記囲み部は、上部が後へ、下部が前への傾斜方向において前記熱交換風ダクトを囲んでいる。
【００１３】
上記のような壁掛け式エアコン室内機において、前記遠心ファンは両吸込式遠心ファンであって、その軸線が前記送風装置の軸線と互いに垂直し、前記うず巻ケーシングには、左右対称な第一風吸込部と第二風吸込部が形成されている。
【００１４】
前記メイン風吸込部は、前記ケースの左右両側に形成された第一メイン風吸込部と第二メイン風吸込部を備え、前記熱交換器は、前記第一メイン風吸込部と前記うず巻ケーシングとの間に位置する第一熱交換器と、前記第二メイン風吸込部と前記うず巻ケーシングとの間に位置する第二熱交換器を備え、前記第一メイン風吸込部は、前記第一熱交換器に向けて、前記第二メイン風吸込部は、前記第二熱交換器に向けている。
【００１５】
好ましくは、前記第一熱交換器と前記第二熱交換器は、いずれも、２つ折り、多層式熱交換器であって、且つ前記うず巻ケーシングから下方へ一部の前記囲み部を被覆するまで延伸している。
【００１６】
前記遠心ファンの軸心と前記ケースの先端との距離は、前記ケースの総高さの１/４以上である。
好ましくは、前記遠心ファンは、ロータ外付けの両吸込式遠心ファンである。
【００１７】
上記のような壁掛け式エアコン室内機において、前記前ケース及び前記後ケースの正投影は、いずれも、円形又は略円形である。
【発明の効果】
【００１８】
従来技術に比べて、本発明の利点及び積極的な効果は、下記の通りである。
本発明に係る壁掛け式エアコン室内機によれば、前ケースの下部に送風装置を設置し、送風装置に遠心ファンを設置し、遠心ファンの熱交換風ダクトに向かう風吹出部に熱交換風ダクトを囲む囲み部を形成し、囲み部により形成される混合風キャビティにおいて、室内機内部のダクトにおける熱交換風に対して整理、緩衝を行い、その後、送風装置の周方向に沿って送風装置に均一に送り込み、貫通ダクトにおいて形成される負圧を利用して、一部の外部の未熱交換の非熱交換風を導入してエアコンの最後の風吹出に混入させることにより、エアコン全体の風吸込量を増加させ、室内空気の流れを速めさせ、室内空気の全体均一性を一層向上させる。そして、このような混合空気は柔らかく、ユーザの体に吹く際に、ユーザがより快適と感じるようになり、ユーザの快適性の体験効果を向上させるようになる。さらに、送風装置はケースの下部に位置し、送り出された混合風の風向きが下方に向けているので、壁掛け式エアコン室内機が部屋の高い個所に装着される場合には、混合風が妨げられず直接に部屋の空間に進入して空気の流動性と温度調節性を速めるようになる。
【図面の簡単な説明】
【００１９】
図面をあわせて本発明を実施するための形態を検討すれば、本発明の他の特点と利点がより明瞭になる。
【図１】本発明に係る壁掛け式エアコン室内機の一実施例の立体図の一である。
【図２】本発明に係る壁掛け式エアコン室内機の一実施例の立体図の二である。
【図３】本発明に係る壁掛け式エアコン室内機の一実施例の側面図である。
【図４】本発明に係る壁掛け式エアコン室内機の一実施例の送風装置の軸線に平行する方向に沿う縦断面図である。
【図５】本発明に係る壁掛け式エアコン室内機の一実施例の送風装置の軸線に垂直する方向に沿う縦断面図である。
【図６】本発明に係る壁掛け式エアコン室内機の一実施例の分解構造図である。
【発明を実施するための形態】
【００２０】
本発明の目的、技術的手段及び利点をより明瞭にさせるために、以下、添付図面と実施例を結合して本発明をさらに詳しく説明する。
まず、当該具体的な実施形態において言及される技術術語を簡単に説明する。以下、部材毎の前、後又は左、右と言う場合、部材が正常に使用する状態で使用者に対する位置で定義するものを指す。複数の部材の配列位置に対して前、後又は左、右と説明する場合、複数の部材からなる装置が正常に使用する状態で使用者に対する位置で定義するものを指す。下述の熱交換風とは、エアコン内部からの、熱交換器にて熱交換された風を指す。非熱交換風とは、エアコンが位置している環境空間の風を指し、熱交換風にとって、直接に熱交換器から来る風ではない。混合風とは、熱交換風と非熱交換風が混合して形成する風を指す。 
【００２１】
図１乃至図６に示す本発明に係る壁掛け式エアコン室内機の一実施例を参照する。
そのうち、図１と図２は当該実施例の２つの立体図であり、図３は当該実施例の側面図であり、図４と図５はそれぞれ当該実施例における送風装置の軸線に平行・垂直する方向に沿う縦断面図であり、図６は当該実施例の分解構造図である。
【００２２】
当該実施例の壁掛け式エアコン室内機は、前ケース１１と後ケース１２を備え、両者が取り外し可能に接続され、室内機のケースを形成している。好ましくは、前ケース１１と後ケース１２の正投影はいずれも円形又は略円形であり、即ち、前ケースの輪郭線と後ケースの輪郭線（図示省略）はいずれも円形又は略円形である。従って、室内機全体の正投影も、円形又は略円形であるため、室内機全体の外形がユニークで美観であって、従来の長尺状の壁掛け式エアコン室内機と全く異なり、ユーザの個性的な審美の需要を満足できる。
【００２３】
具体的には、前ケース１１の構造は以下の通りである。即ち、前ケース１１の表面において、前ケース上部１１１と前ケース下部１１２がいずれも後方へ収縮し、前ケース中部１１３が前へ突き出ることにより、前ケース１１の表面に上下が内縮、中部が外凸の弧面を呈するように構成されている。また、後ケース１２は、前ケース１１により限定される領域に位置している。即ち、前ケース１１の外輪郭線は、後ケース１２の外輪郭線の外に位置している。これにより、壁掛け式エアコン室内機が呈する面積は、前ケース１１の面積であって、且つその上部と下部が後方へ収縮するため、正面から見て前ケース１１の外形のサイズが小さい。加えて、中部が外方に突出しているため、外形のサイズが小さいにもかかわらず、ケース内に面積の大きい熱交換器、カイド風量の大きい遠心ファンなどを配置することにより、室内機が冷房・熱房の際の風量及び温度調節の要求を満たすことができる。前ケース１１の下部、具体的に前ケース下部１１２において、混合風出口１１４が形成されている。混合風出口１１４は、表面が後方へ収縮する前ケース下部１１２に形成され、且つ当該混合風出口１１４は、上部が前へ、下部が後へ向かう傾斜方向に形成され、その傾斜角度αは、４°≦α≦４５°を満たす。より好ましくは、１０°程度である。こうして混合風出口１１４を設置し、後述の送風装置３の構造設計を結合することにより、混合風出口１１４から送り出された風が前下方へ流れることができるため、室内機が部屋の高い位置に装着され、風吹出口から出た風が上方へ天井まで吹いて室内の送風風量と温度調節に影響するという問題を好適に回避できる。
【００２４】
更に、前ケース１１は、前パネル１１５、装飾パネル１１６及び装飾カバーを備えている。そのうち、前パネル１１５と装飾パネル１１６は、同じ外輪郭を有し、前ケース１１の本体を構成している。装飾パネル１１６は、前パネル１１５の前表面に位置し、前パネル１１５に接続されている。これらの装飾パネル１１６と前パネル１１５は、例えば、スナップフィット及び/又は螺子により取り外し可能に接続され、又は、接着剤により粘着される。前パネル１１５と装飾パネル１１６には、同じ開口が形成され、この２つの開口は、混合風出口１１４を形成する。装飾カバーは、取り外し可能に接続されるベース座１１７と蓋板１１８を備え、両部材は、接続された後、混合風出口１１４のエッジに係合され、混合風出口１１４の装飾縁を形成する。装飾カバー内には異なる色の灯を設置することで風吹出口を照らし、風吹出を指示してもよい。
【００２５】
後ケース１２は、ケースの主要部であり、その厚さが前ケース１１の厚さよりも大きい。また、後ケース１２の本体は、円筒形構造を呈し、後板１２１と側壁１２２を備え、この両部分の間には、室内機の他の部材、例えば熱交換器、遠心ファン、水受け皿、うず巻ケーシングなどを受容・配置するための大きい収納空間を囲んでいる。側壁１２２の左右両側には、第一メイン風吸込部１２２１と第二メイン風吸込部１２２２が対称に形成され、この２つの風吸込部は、複数の互いに連通しない風吸込口を備えることが好ましく、従来の風吸込グリルに比べて、風吸込の風量が大きく、且つほこりとゴミを掃除し易い。一体に形成される場合、前ケース１１における前パネル１１５が側壁１２２に接続される。室内機の正面から見て、第一メイン風吸込部１２２１と第二メイン風吸込部１２２２がいずれも前パネル１１５に限定される領域に位置しているため、前ケース１１の下部に形成される混合風出口１１４が２つのメイン風吸込部から遠く、風吹出口と風吸込部との間の風が乱れるという問題が発生しない。
【００２６】
さらに、後板１２１は、壁掛け板１２１２が形成された装着面１２１１を有し、室内機を壁掛け板１２１２により壁に装着されて固定される。後板１２１には、切り欠き１２１３が更に形成され、この切り欠き１２１３は、装着面１２１１に垂直して接続される第一面１２１４と、装着面１２１１から離間され、装着面１２１１に平行する第二面１２１５とを備えている。第二面１２１５には非熱交換風吸込口１２１７が形成され、且つ当該非熱交換風吸込口１２１７の位置は、前ケース１１における混合風出口１１４と前後において対応している。より好ましくは、第一面１２１４には風吸込キャビティ１２１６が形成され、非熱交換風吸込口１２１７が部分的に当該風吸込キャビティ１２１６内に位置する。上記構造を採用すれば、室内機が壁に装着された後、非熱交換風吸込口１２１７のための風吸込の空キャビティを確保し、非熱交換風吸込口１２１７の妨げらない風吸込を実現し、エアコンの送風性能を向上させることができる。さらに、確保されたキャビティが大きすぎて、装着面１２１１の面積を減少することに起因して装着の強度に影響することもない。
【００２７】
前ケース１１と後ケース１２から形成されるケースの内部には、熱交換器、送風装置３、遠心ファン４、うず巻ケーシング５及び囲み部６が設けられている。
具体的に、送風装置３は、下方に設置され、前から後へ、即ち前ケース１１から後ケース１２へ順次に配列される風ガイド体を３つ備えている。これらの３つの風ガイド体は、それぞれ前端風ガイド体３１、中間風ガイド体３２、及び後端風ガイド体３３である。前後に順次に配列されるこれらの３つの風ガイド体は、いずれも環状である。そのうち、前端風ガイド体３１は、中央に貫通され、前後にはそれぞれ混合風出口と風吸込口（図示省略）である開口を２つ有している。中間風ガイド体３２は、中央に貫通され、前後にはそれぞれ風吹出口和風吸込口（図示省略）である開口を２つ有している。後端風ガイド体３３は、中央には貫通され、前後にはそれぞれ風吹出口と非熱交換風吸込口(図示省略）である開口を２つ有している。前端風ガイド体３１、中間風ガイド体３２及び後端風ガイド体３３は、前後に順次に配列した後、中央には、すべての３つの風ガイド体を前後に貫通する貫通ダクト（図示省略）が形成されている。さらに、混合風出口１１４と非熱交換風吸込口１２１７は、当該貫通ダクトにより連通され、前端風ガイド体３１の混合風出口と混合風出口１１４は互いに接合され、後端風ガイド体３３の非熱交換風吸込口と非熱交換風吸込口１２１７は互いに接合されている。前端風ガイド体３１と中間風ガイド体３２との間には、第一熱交換風ダクト３４が形成され、中間風ガイド体３２と後端風ガイド体３３との間には、第二環状熱交換風ダクト３５が形成されている。そして、この２つの熱交換風ダクトはいずれも、環状である。 
【００２８】
遠心ファン４は、送風装置３の上方に設置され、且つうず巻ケーシング５内に位置している。遠心ファン４は、好ましくはモーター４１のロータが外付けされる両吸込式遠心ファンであって、その軸線ｚ２と送風装置３の軸線ｚlとが互に垂直している。ひいては、ケースの内部空間を効率的に利用し、遠心ファン４のファン長さを増加することで室内機の風量及び熱交換効率を向上させ、電力消費を低減することができる。それに対応して、うず巻ケーシング５は、左右対称な第一風吸込部５１と第二風吸込部５２を有し、２つの風吸込部は、開口が外に向けて、遠心ファン４の作用で左右両側から風を吸い込むことができる。うず巻ケーシング５の風吹出部５３は、送風装置３に向けて、具体的に、送風装置３の２つの熱交換風ダクトに向けている。うず巻ケーシング５の風吹出部５３には、送風装置３へ延伸し、２つの熱交換風ダクトを囲む囲み部６が形成され、囲み部６と２つの熱交換風ダクトとの間には、混合風キャビティが形成されている。具体的に、うず巻ケーシング５の風吹出部５３は、上部が後へ、下部が前への傾斜方向に熱交換風ダクトに向けて、囲み部６も勢いに乗って上部が後へ、下部が前への傾斜方向に熱交換風ダクトを回り囲んでいる。これにより、うず巻ケーシング５から吹き出された風は、勢いに乗って下方に傾斜する方向に混合風キャビティ及び熱交換風ダクトに進入して、且つ送風装置３を経て下方に傾斜する慣性方向に送り出される。しかも、囲み部６は、それがうず巻ケーシング５の風吹出部５３に接続される囲み部始端６１から下方へ送風装置３に対してだんだん広がっていることにより、送風装置３の左右両側には、内キャビティがだんだん広がる第一混合風キャビティ６及び第二混合風キャビティ６４が形成されている。さらに、第一混合風キャビティ６３と第二混合風キャビティ６４は、送風装置３の軸線に垂直する直線を対称軸として左右対称している。従って、うず巻ケーシング５の風吹出部５３から吹き出された熱交換風は、囲み部６による制限及び案内により、第一混合風キャビティ６３と第二混合風キャビティ６４内に進入して、且つ２つの対称な混合風キャビティ内において気流の整理、充填を行う。混合風キャビティが充満された後、左右の風量、風速が均等の風を形成し、その後、送風装置３の左右方向及び上方に沿って、２つの環状の熱交換風ダクトに均一に入る。
【００２９】
さらに、当該実施例において、送風装置３の先端とうず巻ケーシング５の風吹出部５３との距離がＨ１であって、送風装置３の底端と囲み部底端６２との距離がＨ２(図示省略）であって、Ｈ１がＨ２より大きく、且つ且送風装置３と囲み部底端６２ができるだけケースの下端に近接し、これにより、囲み部６の長さを伸ばして、十分な長さの混合風キャビティを提供して風を十分に混合させることができる。そして、囲み部６とうず巻ケーシング５の風吹出部５３との間には十分な長さの流れガイド領域を形成して静圧回復を実現することができる。なお、混合風出口１１４から吹き出された風の風向きを下方へ傾斜させるために、混合風出口１１４とそれに接合する前端風ガイド体３１の混合風出口を、上部が前へ、下部が後への方向に下方へ傾斜するように限定する以外に、送風装置３の底端をできるだけ囲み部底端６２に近接又は接触させることにより、少量の風のみが送風装置３の各熱交換風ダクトの底部から吹き出されるとともに、ほとんどの風が熱交換風ダクトの上部及び中部から吹き出された後、貫通ダクト及び混合風出口１１４から送り出された時の方向に沿って下方に傾斜するようになる。
【００３０】
より好ましくは、第一熱交換風ダクト３４と第二熱交換風ダクト３５は、熱交換風ダクト毎に対して、上部のサイズが下部のサイズより大きいように設置される。例えば、熱交換風ダクトの幅は、上から下までだんだん収縮しているため、上が広く、下が狭い形態のダクト構造を形成するようになる。熱交換風ダクトは、上部が広く、下部が狭いため、うず巻ケーシング５の風吹出部５３から吹き出された風は、ほとんど広い熱交換風ダクトの個所、即ち中上部の個所を経て吹き出され、ひいては、混合風出口１１４から送り出された風の方向を更に下方へ傾斜させることができる。
【００３１】
さらに、３つの風ガイド体は、非熱交換風吸込口１２１７から混合風出口１１４までの方向における３つの風ガイド体の間隔がだんだん大きくなる構造で前後に順次に配列されることにより、各熱交換風ダクトのサイズが後から前へ順次に大きくなるように設置されている。即ち、第一熱交換風ダクト３４のサイズは、第二熱交換風ダクト３５のサイズよりも大きい。例えば、第一熱交換風ダクト３４の幅は、第二熱交換風ダクト３５の対応する個所のサイズよりも大きい。このように設置することにより、うず巻ケーシング５の風吹出部５３の後端から送り出された、風速が大きい風の流れを、十分に貫通ダクトに導いて貫通ダクトにおける風速を増加し、ひいては、非熱交換風１２１７から誘い引き付ける風の風量を増加することができる。
【００３２】
遠心ファン４に対して、左右両側から風を吸込、蒸発器により熱交換する効率と機器全体の振動を基準に達させることを保証するために、遠心ファン４の軸心Ｍとケース先端との距離Ｈ３は、ケースの総高さの１/４以上になるように設定すべきである。
【００３３】
当該実施例において、第一メイン風吸込部１２２１、第二メイン風吸込部１２２２及び遠心ファン４に対応して、熱交換器は、第一メイン風吸込部１２２１とうず巻ケーシング５との間に位置する第一熱交換器２１と、第二メイン風吸込部１２２２とうず巻ケーシング５との間に位置する第二熱交換器２２を備えている。第一メイン風吸込部１２２１は、第一熱交換器２１に向けて、第二メイン風吸込部１２２２は、第二熱交換器２２に向けている。さらに、第一熱交換器２１と第二熱交換器２２は、いずれも、２つ折り、多層式熱交換器であって、例えば、２つ折り、四層式熱交換器であって、且ついずれも、うず巻ケーシング５から下方へ一部の囲み部６を被覆するまで延伸している。このような構造の設計によれば、外界の風が両側のメイン風吸込部と熱交換器を通って、変化が最小の角度で且つ最短の距離で遠心ファン４の中部の低圧領域に吸い込まれることを保証することができ、流路の圧損失を低減し、室内の循環風量を向上させ、機器全体のノイズを低減することができる。そして、遠心ファン４にて整流し且つ静圧回復した空気が、混合風キャビティ内に集まって、送風装置３により混合風出口１１４から吹き出されると同時に、送風装置３内の貫通ダクトにおける負圧を利用して、非熱交換風吸込口１２１７から非熱交換風を導入して最後の風吹出に参与させることにより、エアコン全体の風吸込量を増加し、室内空気の流れを速め、室内空気の全体均一性を一層向上させる。そして、このような混合空気は柔らかく、ユーザの体に吹く際、ユーザがより快適と感じるようになり、ユーザの快適性の体験効果を向上するようになる。
【００３４】
上記の実施形態は、本発明の技術の解決策を説明することのみを意図しており、それを制限することを意図していないことに留意されたい。本発明は、前記の実施形態を参照しつつ詳しく説明されているけれども、当業者であれば、相応な技術の解決策が本発明に係る技術の解決策の精神と範囲から逸脱することなく、前記の実施形態において記載されている技術の解決策に補正を加えるか、またはその一部の技術的特徴に対する同等の置き換えを行うことがそのまま可能であることを理解するであろう。 
【図１】
0006392901.tif 000002
【図２】
0006392901.tif 000003
【図３】
0006392901.tif 000004
【図４】
0006392901.tif 000005
【図５】
0006392901.tif 000006
【図６】
0006392901.tif 000007